Podtech/llm-jp-corpus-v4-ja_patent huggingface dataset:
(57)【要約】      （修正有）【課題】石材やＲＣコンクリートブロックなどの対象物に固定機能を働かせる裏面拡孔ネジを有する圧迫固定装置を提供する。【解決手段】ボルト軸が設けられ、ボルト軸の一端にはナット７が螺設され、他端は固定具８の孔穴８１を貫設した後、スリーブ９と相互に螺合して組み合わせたものである。スリーブは、中空を有する管筒体であり、固定具に近接する一端には６角形の突縁９１が設けられ、外向きに逐次縮口状を呈する筒部９２が連結固定された後、外向きに逐次拡径を呈する開口部９３が連結固定され、かつ筒部の部分表面から開口部の表面までは、対応する＞字状の切り溝９４が欠設されることによって、スリーブの開口部を対応型の２枚のクランプ９５として形成させる。【選択図】図１
0003184615.tif 000002
【実用新案登録請求の範囲】
【請求項１】
裏面拡孔ネジを有する圧迫固定装置において、
ボルト軸が設けられ、前記ボルト軸の一端にはナットが螺設され、他端は固定具の孔穴を貫設した後、スリーブと相互に螺合して組み合わせたものであり、
前記スリーブは、中空を有する管筒体であり、固定具に近接する一端には６角形の突縁が設けられ、外向きに逐次縮口状を呈する筒部が連結固定された後、外向きに逐次拡径を呈する開口部が連結固定され、かつ筒部の部分表面から開口部の表面までは、対応する＞字状の切り溝が欠設されることによって、前記スリーブの開口部を対応型の２枚のクランプとして形成させ、
上記構造の構成により、それが実施される時に、ボルト軸をスリーブの筒部と開口部内に嵌め込むとともに、前記スリーブがボルト軸の圧迫を受けることによって、クランプを外向きに拡張させることで、スリーブを対象物内に固定可能にする目的を達成することを特徴とする、裏面拡孔ネジを有する圧迫固定装置。
【考案の詳細な説明】
【技術分野】
【０００１】
本考案は、裏面拡孔ネジを有する圧迫固定装置を提供し、特に、石材やＲＣコンクリートブロックなどの対象物に固定機能を働かせるために使用される、革新的な構造に関するものである。
【背景技術】
【０００２】
石材やＲＣコンクリートブロックなどの対象物に固定するために用いられる、従来の圧迫固定装置は、図６、図７に示すように、ボルト軸１上には、スリーブ２が貫設され、前記スリーブ２は、形状同一、かつ対向する２つのクランプ２１から構成され、それらのクランプ２１上には、外向きに延伸するブロック体２２１が設けられ、かつ前記クランプ２１が対応辺には、ネジ山２２が設けられ、前記ネジ山２２は、ボルト軸１上のネジ山に丁度に相互に螺合して使用される場合に、クランプ２１を対象物３の所定の孔穴３１内にそれぞれ埋設してから、ボルト軸１をクランプ２１の間に嵌め込むことにより、クランプ２１上のネジ山２２をボルト軸１上のネジ山に相互に螺合することができるようにさせ、クランプ２１がボルト軸１の押し込めにより、次第に外向きに拡張させることで、外向きに延伸するブロック体２２１を孔穴３１の壁面上に噛合させる。これにより、前記クランプ２１を孔穴３１内に固定させてから、前記ボルト軸１がスリーブ２外に突露する一端を４の貫通孔４２内に嵌め込んだ後、ナット５をボルト軸１上に螺合する。このようにすれば、スリーブ２をブロック体２２１の張り合わせにより、離脱して落下しないように対象物３上に固定させる。これにより、前記対象物３を固定具４と結合する対象物上に懸吊させることができる。
【考案の概要】
【考案が解決しようとする課題】
【０００３】
唯、前記スリーブ２は単独に分離した２枚の板片体となるため、対象物３の体積が巨大である場合に、前記スリーブ２の外向きに拡張する末端は、前記対象物３の重量が耐えられずに、前記対象物３から離脱することがよく発生してしまい、前記対象物３が固定した箇所から落下することが引き起され、使用上、理想的とは言えない。
【課題を解決するための手段】
【０００４】
本考案者は、上記従来の圧迫固定装置が実施される時に生じる弊害に対して、採用する技術手段は、下記のとおりである。
【０００５】
前記スリーブは、中空を有する管筒体であり、外向きに逐次縮口状を呈する筒部と外向きに逐次拡径を呈する開口部とを備え、かつ筒部の部分表面から開口部の表面までは、対応する＞字状の切り溝が欠設されることによって、前記スリーブの開口部を対応型の２枚のクランプとして形成させる。実施時に、ボルト軸をスリーブの筒部と開口部内に嵌め込むとともに、前記スリーブがボルト軸の圧迫を受けることによって、クランプを外向きに拡張させることで、スリーブを対象物内に確実に固定可能にする目的を達成するとができる。
【図面の簡単な説明】
【０００６】
【図１】本考案の分解斜視図である。
【図２】本考案の組合せ側面図である。
【図３】本考案の組合せ正面図である。
【図４】本考案の実施模式図である。
【図５】本考案の別の実施模式図である。
【図６】従来技術の分解斜視図である。
【図７】従来技術の組合せ断面図である。
【考案を実施するための形態】
【０００７】
図１〜図３に示すように、本考案の裏面拡孔ネジを有する圧迫固定装置において、ボルト軸６が設けられ、前記ボルト軸６の一端にはナット７が螺設され、他端は固定具８の孔穴８１を貫設した後、スリーブ９と相互に螺合して組み合わせたものである。そのうち、前記スリーブ９は、中空を有する管筒体であり、固定具８に近接する一端には６角形の突縁９１が設けられ、外向きに逐次縮口状を呈する筒部９２が連結固定された後、外向きに逐次拡径を呈する開口部９３が連結固定され、かつ筒部９２の部分表面から開口部９３の表面までは、対応する＞字状の切り溝９４が欠設されることによって、前記スリーブ９の開口部９３を対応型の２枚のクランプ９５として形成させる。
【０００８】
図４、図５に示すように、実施時に、ボルト軸６をスリーブ９の筒部９２と開口部９３内に嵌め込むとともに、前記スリーブ９がボルト軸６の圧迫を受けることによって、クランプ９５を外向きに拡張させることで、スリーブ９を対象物Ａ内に確実に固定可能にする目的を達成することができる。
【符号の説明】
【０００９】
従来技術
１    ボルト軸
２   
スリーブ
２１   
クランプ
２２   
ネジ山
２２１   
ブロック体
３    対象物
３１    孔穴
４    固定具
４２    貫通孔
５   
ナット
本考案
６   
ボルト軸
７   
ナット
８   
固定具
８１   
孔穴
９   
スリーブ
９１   
突縁
９２   
筒部
９３   
開口部
９４   
切り溝
９５   
クランプ
【図１】
0003184615.tif 000003
【図２】
0003184615.tif 000004
【図３】
0003184615.tif 000005
【図４】
0003184615.tif 000006
【図５】
0003184615.tif 000007
【図６】
0003184615.tif 000008
【図７】
0003184615.tif 000009
(57)【要約】      （修正有） 【課題】構造が簡単で、より大きな負荷に耐えられる逆吊り補強組立鉄部品を有する圧迫固定装置を提供する。【解決手段】本体１と、ヘッドカバー２と、錐状底部３と、を備える圧迫固定組立体に関する。このような構造において、本体の一端にて複数の溝間隙を有する膨張部１２と錐状底部との間に生じる楔形作用により、膨張部は石材の圧迫固定孔内にてパッキング作用を生じることにより、圧迫固定装置を石材上に固定接続され、ヘッドカバーの六角頭２１に合わせられる。こうして、持ち上げまたは懸吊等の関連作業が行われ、或いは壁面結合作業の施行が支援される。【選択図】図１
0003184616.tif 000002
【実用新案登録請求の範囲】
【請求項１】
外ねじ山と膨張部を有し、前記膨張部に収容空間と溝間隙が設けられる本体と、
六角頭と内ねじ山を有し、前記内ねじ山は前記本体の前記外ねじ山に螺設されるヘッドカバーと、
錐状体の錐状底部と、を備え、
前記錐状底部は、前記本体の前記収容空間に対応して嵌設されることを特徴とする、逆吊り補強組立鉄部品を有する圧迫固定装置。
【請求項２】
前記本体の前記溝間隙は、前記収容空間と互いに連通していることを特徴とする、請求項１に記載の逆吊り補強組立鉄部品を有する圧迫固定装置。
【請求項３】
前記本体の前記膨張部の外周囲には、環形凹溝が設けられていることを特徴とする、請求項１に記載の逆吊り補強組立鉄部品を有する圧迫固定装置。
【考案の詳細な説明】
【技術分野】
【０００１】
本考案は、逆吊り補強組立鉄部品を有する圧迫固定装置に係り、特に、膨張部と錐状底部との間に生じる変形押込作用により、結合している圧迫固定孔に対して一定程度のパッキング圧力が生じるものに関する。
【背景技術】
【０００２】
市場上の壁面結合構造の多くは、分離組立式の膨張構造であり、構造全体強度が悪くて、より大きい負荷が耐えられない。
【考案の概要】
【考案が解決しようとする課題】
【０００３】
従来の壁面結合構造の技術欠点は、下記のとおり。
１）構造がより複雑であることから、組立て及び使用過程に時間がかかりすぎ、利便性に欠ける。
２）構造が一体性に欠けるため、全体強度が悪く、より大きい負荷が耐えられない。
【課題を解決するための手段】
【０００４】
上記目的及び機能を達成するために、逆吊り補強組立鉄部品を有する圧迫固定装置は、本体、ヘッドカバー及び錐状底部等から構成される。
【考案の効果】
【０００５】
本考案に係る逆吊り補強組立鉄部品を有する圧迫固定装置の利点と特徴は、下記のことにある。
１）構造がより簡単になり、組立て及び使用過程に時間が省け、利便性を有する。
２）構造が一体的に設計され、全体強度が良く、より大きい負荷を耐えることができる。
３）打撃力と螺旋回旋力を利用することにより、圧迫固定装置の緊密性が生じる。
４）楔形作用と膨張原理を兼ね備えている錐状底部を応用することで、結合力を増強させる。
５）石材の持ち上げ、懸吊効果が兼ね備えられ、或いは壁面結合作業の施行が支援される。
【図面の簡単な説明】
【０００６】
【図１】本考案の一実施例に係る全体の装置構造を示す外観斜視図である。
【図２】本考案の一実施例に係る全体の装置構造を示す外観平面図である。
【図３】本考案の一実施例に係る圧迫固定過程の装置を示す応用図（一）である。
【図４】本考案の一実施例に係る圧迫固定過程の装置を示す応用図（二）である。
【考案を実施するための形態】
【０００７】
図１〜図３に示すように、本考案は、本体１と、ヘッドカバー２と、錐状底部３と、を備える。
【０００８】
そのうち、本体１は、外ねじ山１１と膨張部１２を有し、前記膨張部１２に収容空間１２１と少なくとも２つの溝間隙１２２が設けられる。上述した前記本体１の溝間隙１２２は、収容空間１２１と互いに連通しており、かつ前記本体１の膨張部１２の外周囲には、複数の環形凹溝１２３が設けられている。
【０００９】
ヘッドカバー２は、六角頭２１と内ねじ山２２を有し、前記内ねじ山２２は本体１の外ねじ山１１に螺設される。
【００１０】
錐状底部３は、錐状体であり、前記錐状底部３は、本体１の収容空間１２１に対応して嵌設される。
【００１１】
図３は、本考案の一実施例に係る圧迫固定過程の装置を示す応用図（一）である。図３に示すように、ヘッドカバー２は、その内ねじ山２２により本体１の外ねじ山１１に螺設され、一方、錐状底部３は、収容空間１２１中に軽く嵌め込まれ、かつ錐状底部３は、膨張部１２と一緒に石材４の圧迫固定孔４１内に置かれ、この場合、膨張部１２がいまだに受力されていなく、溝間隙１２２も拡張されていない。
【００１２】
図４は、本考案の一実施例に係る圧迫固定過程の装置を示す応用図（二）である。図４に示すように、ヘッドカバー２の六角頭２１を外力で打撃し、本体１を介して打撃による作用力を前端の膨張部１２までに伝達し、錐状底部３は、収容空間１２１に沿って滑り移動し、かつ内向きに収容空間１２１の底部へ移動すると同時に、錐状底部３の楔形作用（即ち、力学上、くさび作用と称される）により、膨張部１２を外向きに拡張するように押し付ける。拡張する過程において、前記膨張部１２の複数の溝間隙１２２も次第に広げられて、膨張部１２の外周囲に設けられる複数の環形凹溝１２３により提供される変形補助作用で、錐状底部３が錐状底部３内に向けて押し込まれるように応じる。一方、外向きに拡張する膨張部１２は、石材４の圧迫固定孔４１に対して微量の変形が生じる（即ち、拡孔）と同時に、径方向に沿って外側に向けて引き伸ばされる。これにより、圧迫固定孔４１に対して十分なパッキング圧力が生じる。もう一方、前記パッキング圧力（即ち、圧迫応力）による生じる膨張部１２と圧迫固定孔４１との間の摩擦力総量は、石材４の重量を十分に克服でき、石材４がヘッドカバー２の六角頭２１を介して上向きに引き上げられる。こうして、持ち上げまたは懸吊等の関連作業が行われ、或いは壁面結合作業の施行が支援される。
【符号の説明】
【００１３】
１   
本体        
１１   
外ねじ山
１２   
膨張部
１２１   
収容空間
１２２   
溝間隙
１２３   
環形凹溝
２   
ヘッドカバー
２１   
六角頭
２２   
内ねじ山
３    錐状底部
４   
石材
４１   
圧迫固定孔
【図１】
0003184616.tif 000003
【図２】
0003184616.tif 000004
【図３】
0003184616.tif 000005
【図４】
0003184616.tif 000006
(57)【要約】      （修正有）【課題】刃先強度の向上により、耐摩耗性が高く、長寿命化が図れるボーリングバイトを提供する。【解決手段】ボーリングバイト１は、シャンク２の先端部に刃部３を有する。刃部３のすくい面４は平面である。逃げ面５は、Ｒ面に形成される。したがって、すくい面４と逃げ面５とは、鈍角に集合する。逃げ面のＲの半径は、切削すべきワークの穴半径以下に設定される。すくい面４と逃げ面５とが大角度で集合しているため、刃先の耐摩耗性が向上し、使用による刃先の初期摩耗が少なくなる。【選択図】図１
0003184621.tif 000002
【実用新案登録請求の範囲】
【請求項１】
刃先の逃げ面をＲ形状にしたことを特徴とするボーリングバイト。
【請求項２】
前記逃げ面のＲの半径を切削すべきワークの穴半径以下に設定したことを特徴とする請求項１に記載のボーリングバイト。
【考案の詳細な説明】
【技術分野】
【０００１】
本考案は、内径穴加工用のボーリングバイトに関する。
【背景技術】
【０００２】
図２に示すように、従来のボーリングバイト１１は、刃先のすくい面１２と逃げ面１３が、共に平面で構成される。このため刃先の先端は鋭利な尖端となっている。
【考案の概要】
【考案が解決しようとする課題】
【０００３】
上記従来のボーリングバイトは、刃先が鋭利な尖端となっているため、使用による初期摩耗が激しく、寸法変動が大きいため、機械側で短期間に度重なる寸法補正を行う必要があり、安定した製品を造ることがむずかいしい。刃物寿命も短く、交換回数、研磨回数も多くなるという課題がある。
したがって、本考案は、刃先強度の向上により、耐摩耗性が高く、長寿命化が図れるボーリングバイトを提供することを目的としている。
【課題を解決するための手段】
【０００４】
以下、添付図面の符号を参照して説明するが、本考案はこれに限定されるものではない。
上記課題を解決するための、本考案のボーリングバイトは、刃先の逃げ面をＲ形状にした。
【考案の効果】
【０００５】
本考案のボーリングバイトは、刃先強度が向上し、特に初期摩耗を抑えることができ、長寿命化が図れるという効果を有する。
【図面の簡単な説明】
【０００６】
【図１】（Ａ）は本考案に係るボーリングバイトの先端部の平面図、（Ｂ）は刃先の正面図である。
【図２】（Ａ）は従来のボーリングバイトの先端部の平面図、（Ｂ）は刃先の正面図である。
【考案を実施するための形態】
【０００７】
図面を参照して本考案の実施の形態を説明する。
図１において、ボーリングバイト１は、シャンク２の先端部に刃部３を有する。刃部３のすくい面４は平面である。逃げ面５は、Ｒ面に形成される。したがって、すくい面４と逃げ面５とは、大角度で集合する。
【０００８】
逃げ面のＲの半径は、切削すべきワークの穴半径以下に設定される。
【０００９】
すくい面４と逃げ面５とが大角度で集合しているため、刃先の耐摩耗性が向上し、使用による刃先の初期摩耗が少なく、したがって、機械の補正回数、刃物の交換回数、研磨回数を減じることができる。これにより、安定した品質の製品を製作することができる。
【符号の説明】
【００１０】
１    ボーリングバイト
２    シャンク
３    刃部
４    すくい面
５    逃げ面
【図１】
0003184621.tif 000003
【図２】
0003184621.tif 000004
(57)【要約】      （修正有）【課題】手帳の収納袋にベルト通しに装着できるカラビナ金具及びベルトを通せる帯を付着させることにより、手帳を折り曲げたり、汚したりすることなく、上着を着ていない場合でも携帯することを可能にする手帳携帯バッグを提供する。【解決手段】手帳が入る収納バッグの本体バッグ部１、帯部３、カラビナ金具４装着部の３つの部分からなり、本体バッグ部に手帳を収納し、本体背面から表面に伸びる帯先端についたマグネットボタンで手帳が外に飛び出すことを防止、本体背面のカラビナ金具でズボンのベルト通しに引っ掛ける、もしくは背面帯部にベルトを通すことで手帳を人体側面部に携帯して持ち運ぶことができることを特徴とする。【選択図】図２
0003184662.tif 000002
【実用新案登録請求の範囲】
【請求項１】
手帳が入る収納バッグの本体バッグ部、帯部、カラビナ金具装着部の３つの部分からなり、本体バッグ部に手帳を収納し、本体背面から表面に伸びる帯先端についたマグネットボタンで手帳が外に飛び出すことを防止、本体背面のカラビナ金具でズボンのベルト通しに引っ掛ける、もしくは背面帯部にベルトを通すことで手帳を人体側面部に携帯して持ち運ぶことができる手帳携帯バッグ。
【考案の詳細な説明】
【技術分野】
【０００１】本考案は、ベルト、ベルト通しに装着して携帯できる手帳バッグに関するある。
【背景技術】
【０００２】上着内ポケットにいれるサイズの手帳は携帯性に便利であるが、夏場に上着を着ていない場合にはズボンポケット、カバンに入れる等している。
【考案の概要】
【考案が解決しようとする課題】
【０００３】ズボンポケットでは手帳が変形してしまう、常にカバンを持ち歩く必要がある等上着ポケットを着ていない場合には手帳の携帯性が失われる欠点があった。
【課題を解決するための手段】
【０００４】本考案は、手帳が入る収納バッグの本体バッグ部、帯部、カラビナ金具装着部の３つの部分からなり、本体バッグ部に手帳を収納し、本体背面から表面に伸びる帯先端についたマグネットボタンで手帳が外に飛び出すことを防止、本体背面のカラビナ金具でズボンのベルト通しに引っ掛ける、もしくは背面帯部にベルトを通すことで手帳を人体側面部に携帯して持ち運ぶことにより、上記課題を解決するものである。
【考案の効果】
【０００５】本件案に係る手帳携帯バッグは、手帳を折り曲げたり、汚したりすることなく、上着を着ていない場合でも携帯することを可能にすることができ、実用性に優れたものである。
【図面の簡単な説明】
【０００６】
【図１】本考案の正面図である。
【図２】本考案の背面図である。
【図３】本考案の実地例１斜視図である。
【図４】本考案の実地例２斜視図である。
【考案を実施するための形態】
【０００７】図１に示すように、本体バッグ部に収納したバッグが外にでないように背面部から伸びる帯部先端と本体バッグにマグネット金具を装着する。次に図２に示すように背面部最下辺で帯部先端と本体を固定する。（▲１▼）背面上部で帯部とカラビナ金具を固定する。（▲２▼）上記▲１▼、▲２▼の間はベルトが通せるように本体と帯部は固定せず開けておく。
【実施例１】
【０００８】図３に示すように、カラビナ金具をズボンベルト通しに装着して本体バッグを持ち運ぶことができる。
【実施例２】
【０００９】図４に示すように、背面帯部にベルトを通して装着し、本体バッグを持ち運ぶことができる。
【符号の説明】
【００１０】１  本体バッグ
２  帯表面先端マグネット金具
３  帯背面
４  カラビナ金具
５  リング金具（カラビナ金具と帯部装着用）
【図１】
0003184662.tif 000003
【図２】
0003184662.tif 000004
【図３】
0003184662.tif 000005
【図４】
0003184662.tif 000006
(57)【要約】      （修正有）【課題】低年齢層の方々が興味を持つ図形を形成できることにより、知能の発育や集中力を自然に養うことができる図形パズルを提供する。【解決手段】直角二等辺三角形形状の平板の大１個２、小２個１と台形形状の平板２個３の組合せにより３０種類以上の図形を形成可能としたことを特徴とする。低年齢層に合わせた身近な図形ができる課題図（もんだい）と解答図（こたえ）を併用することで段階的に成長していく姿を確認でき、また、低年齢用の課題図（もんだい）は個々の図形の中にキーとなる組合せ片を１箇所配置した課題図（ヒント付）を購入時に選択できるシステムとした。さらに、コンパクトケースに収納したことにより携帯性が向上し場所を選ばず手軽に楽しく図形を作れることを可能にした。【選択図】図１
0003184670.tif 000002
【実用新案登録請求の範囲】
【請求項１】
本考案の図形パズルは底辺が√２で両側辺がそれぞれ１の直角二等辺三角形の組合せ片（１）２個と底辺が２で両側辺が√２の直角二等辺三角形の組合せ片（２）１個と底辺が２、頂辺が１、一方の側辺が１で内角がともに直角、他方の側辺が√２の台形の組合せ片（３）２個で構成され、組合せ片５個を組み合わせて種々の図形を形成出来るようにしたことを特徴とする図形パズル。
【請求項２】
前記組合せ片をプラスチックのコンパクトケース（９６×９８×８ｍｍ）に収納することを特徴とする請求項１に記載の図形パズル。
【考案の詳細な説明】
【考案の概要】
【考案が解決しようとする課題】
【０００１】低年齢層を対象とする複数のパーツの組合せで図形を形成する玩具として積み木やジグソーパズルが一般的である。
しかし，組合せて形成できる図形が少ないことや目的意識（課題）を以って図形を形成できるパズルが少ない。【０００２】低年齢層に適した単純な形状で最少の組合せ片で多くの図形を形成できる図形パズルが無い。【０００３】組合せ片が多いと組合せが複雑となり、年少者や高齢者にとって遊びとしての負担が多く、飽きてしまう。【０００４】一般に図形パズルは利便性に欠けている。
【課題を解決するための手段】
【０００５】本考案の図形パズルは底辺が√２で両側辺がそれぞれ１の直角二等辺三角形の組合せ片（１）２個と底辺が２で両側辺が√２の直角二等辺三角形の組合せ片（２）１個と底辺が２、頂辺が１、一方の側辺が１で内角がともに直角、他方の側辺が√２の台形の組合せ片（３）２個で構成され、組合せ片５個を組み合わせて種々の図形を形成出来るようにしたことを特徴とする。【０００６】課題図（もんだい）の各々の図形のキーとなる組合せ片１個を輪郭図形に配置（ヒント付）することにより難易度を下げる。【０００７】本考案の図形パズルはコンパクトケース９６×９８×８（ｍｍ）に収納することにより利便性を高めた。
【考案の効果】
【０００８】低年齢層の方々が興味を持てる図形を形成できることにより、知能の発育や集中力を自然に養うことができる。【０００９】課題図（もんだい）に図形の形成のヒントを付記したことにより、低年齢層でも容易に遊ぶことができる。【００１０】課題図（もんだい）はパズル購入者の希望により、ヒント付の有無を選択できることから低年齢層に限定することなく幅広い年齢層で楽しむことができる。【００１１】本考案品は組合せ片（図２）の３種、５個の組合せで３０種類以上の図形を形成できる。【００１２】本考案品はコンパクトサイズのケースに収められているため持ち歩きに便利であり、場所を問わず容易に楽しむことが出来る利便性の高いパズルである。
【図面の簡単な説明】
【００１３】
【図１】本考案に係わるパズルの全体構成を示す平面図である。
【図２】本考案に係わるパズルにおける構成される組合せ片の平面図である。
【図３】本考案に係わるパズルにおける完成図形を示す平面図である。
【符号の説明】
【００１４】１  組合せ片（１）
２  組合せ片（２）
３  組合せ片（３）
【図１】
0003184670.tif 000003
【図２】
0003184670.tif 000004
【図３】
0003184670.tif 000005
(57)【要約】      （修正有）【課題】断熱シートを窓に貼り付けた場合に、安易に外の状態が確認できる構造の窓用断熱シートを提供する。【解決手段】断熱シートの適当な位置に、適当なサイズの「覗き穴」を明けるか、或いは断熱シートに「切れ目」もしくは「取り外し式カバー」を設ける。窓を開けることなく簡単に外の状況を確認できる。【選択図】図１
0003184661.tif 000002
【実用新案登録請求の範囲】
【請求項１】
覗き穴を明けたことを特徴とする窓用断熱シート。
【請求項２】
覗き穴用の切れ目または取り外しカバーを特徴とする窓用断熱シート。
【考案の詳細な説明】
【技術分野】
【０００１】この考案は窓に貼る断熱シートに切り明ける「覗き穴」に関する。
【背景技術】
【０００２】従来の窓用断熱シートは１枚のシートをそのまま窓に貼り付ける構造であった。【０００３】しかしながら、従来の断熱シートをそのまま窓に貼り付けた場合、窓の外の見通しが悪くなり、天気等の確認時にはその都度窓を明けて確認するのに手間がかかる欠点があった。
【先行技術文献】
【特許文献１】
【０００４】
【考案の概要】
【考案が解決する課題】
【０００５】本考案は上記のような従来の欠点に鑑み、通常室内側から安易に外の状態が確認できるように窓用断熱シートに工夫をこらすことを目的としている。
【課題を解決するための手段】
【０００６】窓用断熱シートに適度な大きさの「覗き穴」をつけることを手段とする。
【考案の効果】
【０００７】以上の説明から明らかなように、本考案に当たっては次に列記する効果が得られる。
（１）窓用の断熱シートに適切な「覗き穴」が設けられていれば、窓を開けることなく簡      単に外の状況を確認できるメリットがある。
【０００８】（２）窓用断熱シートに「切れ目」もしくは「取り外し式穴カバー」を付けていれば、窓      にシートを貼り付けて不都合が生じた場合、必要と思えば随時「覗き穴」を明けて      （１）同様簡単に外の状況を確認できるメリットがある。
【図面の簡単な説明】
【０００９】
【図１】本考案を実施するための前項（１）の斜視図である。
【図２】本考案を実施するための前項（２）の斜視図である。案
【考案を実施するための形態】
【００１０】以下、本考案を実施する為の２つの形態を図に基づいて説明する。
【実施例１】
【００１１】図１は本考案の実施例１の斜視図であって、フィルム等の素材を用いた窓用断熱シートの適当な位置に「覗き穴」を明け、この断熱シートを室内側の窓ガラスに貼り付ける構造である。
【実施例２】
【００１２】図２は本考案の実施例２の斜視図であって、フィルム等の素材を用いた窓用断熱シートの適当な位置に、「覗き穴」を明けることができるよう、シートに「切れ目」を入れるか、または「穴カバー」の取り外し式にしておけば、必要に応じて「覗き穴」を簡易に明けることができる。この断熱シートを窓ガラスに貼り付ける構造である。
【産業上の利用可能性】
【００１３】本考案は断熱シートを製造する産業で利用される
【符号の説明】
【００１４】  １    断熱シート
２    覗き穴
３    覗き穴加工用切れ目または取り外しカバー
【図１】
0003184661.tif 000003
【図２】
0003184661.tif 000004
(57)【要約】      （修正有）【課題】デジタルカメラ画面の液晶画像を観察するのに、どの角度からも外光が来ようとも外光を遮光して見やすくする、液晶画像を見るための遮光フード器具を提供する。【解決手段】本体筒３に液晶画像観察窓２に傾斜１を設ける。入射光可変窓４から構成される。液晶画面に対し遮光フードの傾斜面を液晶画面の面にのせ、入射光を遮蔽する方向に遮光フードの向きを変えることにより入射光を遮ることが出来ることを特徴とする。【選択図】図１
0003184669.tif 000002
【実用新案登録請求の範囲】
【請求項１】
本体筒３．の片方に傾斜１．を付けた遮光フード器具。
【考案の詳細な説明】
【技術分野】
【００１】本考案は、デジタルカメラ画面の液晶画像を観察するのに、どの角度からも外光が来ようとも外光を遮光して見やすくする、液晶画像を見るための遮光フードである。
【背景技術】
【００２】従来、筒型の遮光フードはあるが、太陽光又は強い光が入射した場合、液晶画面に光が当り液晶画像の観察が出来ない、デジタルカメラを移動もしくは入射光に対してあらたに遮光しなければ液晶画像を観察することに手間がかかり面倒である。
【考案の概要】
【考案が解決しようとする課題】
【００３】本考案は前文の欠点を除くためになされたもので、液晶画面に対して真上に取り付けて液晶画面を一方向から見るため後方から外光が入射した場合、ある一定の光に対しては無防備で液晶画面に入射し液晶画像の観察が思うように出来ないことが度々おこる、カメラの位置を移動するか又は、遮蔽板をかざす方法で解決するが、時間を浪費してしまう。
【課題を解決するための手段】
【００４】いまこれを、図面について説明すれば本体筒３．に液晶画像観察窓２．に傾斜１．を設ける。入射光可変窓４．から構成された筒型遮光フード。
【考案の効果】
【００５】本考案は、以上のような構造で、野外の日差しの強い場所で、液晶画面に光が入射した時は、遮光フードの筒の角度を変えると入射光を遮断することができ短時間に詳細な液晶画像を観察することが出来る。
【図面の簡単な説明】
【００６】
【図１】本考案の斜視図である。本体筒３．傾斜１．液晶画像観察窓２．入射光可変窓４．からの構成である。
【考案を実施するための形態】
【００７】明るい環境で、画面が薄くなり見えない場合は液晶画面に傾斜１．を液晶画面に水平にのせ本体筒３．を可変して入射可変窓４．を見ながら一番観察しやすい角度に調整する。
【図１】
0003184669.tif 000003
(57)【要約】      （修正有）【課題】構造が単純で、すべりにくく片手で持ちやすい保持構造を備えた携帯端末を提供する。【解決手段】表面にディスプレイを有する携帯端末において、その裏面３に、指の間に挟み込むことができるように先端を若干きのこ状に膨らませた保持材４を凸設、または指先を差し入れることができる弧状の凹部を形成した。【選択図】図２
0003184663.tif 000002
【実用新案登録請求の範囲】
【請求項１】
表面にディスプレイを有する携帯端末において、その裏面に先端を若干膨らませた保持材が凸設されていることを特徴とする携帯端末。
【請求項２】
表面にディスプレイを有する携帯端末において、その裏面に弧状の凹部が形成されていることを特徴とする携帯端末。
【考案の詳細な説明】
【技術分野】
【０００１】  本発明は、片手で持つことができる携帯端末の保持装置に関する。
【背景技術】
【０００２】  携帯電話などの携帯端末については、片手で持って操作キーを操作するのが一般的である。特に、交通機関の車内では通話が憚られることから、メールによる送受信をするために、親指でキーボードを操作することがよく行われている。このような場合、操作中に携帯端末を取り落とさないように注意する必要がある。このために、指を差し込むためのリング部と、前記リング部を前記携帯端末の裏面側に固定する固定部とを有し、前記リング部を支えとして、前記携帯端末を斜めに立て掛けることができるように形成されているものが示されている（特許文献１参照）。また、携帯端末の背面に片手の小指および薬指をそれぞれ挿入するリングを取り付けて携帯端末を固定するようにしたものもある（特許文献２参照）。
【先行技術文献】
【特許文献】
【０００３】
【特許文献１】特開２０１２−２２７７９４号公報
【特許文献２】実用新案登録第３１７８１７３号公報
【考案の概要】
【考案が解決しようとする課題】
【０００４】  最近は、スマートフォン（多機能携帯電話）、多機能電話機、タブレットなどいろんな機能をそなえた機種が出回っており、これらの携帯端末は片手で持ちにくくすべりやすく、落下の危険があった。そこで、特許文献１や特許文献２に示されるような落下防止のための工夫が提案されているが、このような従来の把持部材は、リングを特別に加工して取り付けるため構造が複雑で高価なものとなっていた。そこで本願考案は、携帯端末の背面に指掛を形成することにより携帯端末の片手による操作を補助し落下を防止しようとするものである。
【課題を解決するための手段】
【０００５】  上記のような課題を解決するために、表面にディスプレイを有する携帯端末において、その裏面に、先端を若干膨らませた保持材を凸設し、または表面にディスプレイを有する携帯端末において、その裏面に、弧状の凹部を形成したものである。
【考案の効果】
【０００６】  本考案は、以上のように構成されているので、片手で携帯端末本体をしっかり保持して落下を防ぎ、もう一方の手による携帯端末のディスプレイ操作を補助することができる。
【図面の簡単な説明】
【０００７】
【図１】  本考案の携帯端末の１実施例を示す背面図
【図２】  図１の携帯端末の側面図
【図３】  本考案の携帯端末の他の実施例を示す背面図
【図４】  図３のＡ−Ａ線部分断面図
【考案を実施するための形態】
【０００８】  本考案の実施の形態を、図面に基づき説明する。１は携帯端末本体で、２はディスプレイを有する表面、３はその裏面である。４は裏面３に凸設された保持材である。なお、保持材４は単なる円柱状の突起でもいいが、好ましくは図２に示すようにその先端がきのこ状にや膨らんだ形状の方がよい。何故なら片手の指の間に保持材４を挟んで保持した時に携帯端末をより安定的に保持できるからである。さらに、保持材４はあまり長く突出させない方が携帯端末不使用時の持ち歩きには便利である。
【０００９】  つぎに、他の実施例を図３および図４により説明する。５は、携帯端末本体１の裏面３に弧状に形成された凹み溝であり、指先が同凹み溝５に差し入れることが出来るように形成されている。そのために、図４に示すように単なるＵ字溝ではなく指先側を略垂直に落とし、なだらかに復帰するように形成されているのが好ましい。また、図３において点線で示す凹み溝６は、左利き用のための凹み溝であり、断面は図４に示すものと同じように形成される。凹み溝５，６は使用者の利き手の状況に応じていずれにでも形成できる。さらにまた凹み溝５，６を同時に形成して、右利き、左利きのいずれの場合にも使用することができるようにしてもよい。
【実施例】
【００１０】  このように形成された携帯端末を使用するときには、その裏面３に設けられた保持材４を指の間に挟み込めるので、片手でもしっかりと固定することができる。また、実施例２の携帯端末の裏面に弧状の凹み溝５，６を形成したものにおいては、凹み溝５，６に沿って指先を押し当てて固定することができる。したがって交通機関の車内や、歩行中にも携帯端末を取り落とすことがない。【００１１】  以上のように、本考案携帯端末は、片手で携帯端末を操作する際に、保持材を指で挟んで、または指先を凹み溝に押し当てて携帯端末本体１をしっかりと持つことができ、操作中に携帯端末を落とす心配がない。また、すべりにくくなったので端末の操作がしやすくなるとともに、腕や手や指がつかれにくくなる。しかも携帯端末の裏面に小さな保持材を取り付けたり、裏面に溝を打ち抜いたりという簡単な構成であるために構造がシンプルであり極めて安価に製造でき所望する目的を達成できるものである。さらにまた、鞄やポケットに中に入れておく際にもそれほど邪魔にならないという効果もある。
【符号の説明】
【００１２】  １  携帯端末本体
２  表面
３  裏面
４  保持材
５  凹み溝
６  凹み溝
【図１】
0003184663.tif 000003
【図２】
0003184663.tif 000004
【図３】
0003184663.tif 000005
【図４】
0003184663.tif 000006
(57)【要約】      （修正有）【課題】自動車のフロントガラスからの直射日光の侵入を防止できる日除けシートと添え木を用いて、日除けと断熱を行う自動車の日除け装置を提供する。【解決手段】断熱効果及び弾力、反発性能の大きいシートの片面に太陽光反射膜のアルミ箔等を密着させると共に、自動車のフロントガラスの大きさに裁断可能とした日除けシートＡと、日除けシートを同ガラスと日除けシートの密着性を高めるための添え木２とを設けて、直射日光の侵入と断熱を確保する。【選択図】図１
0003184667.tif 000002
【実用新案登録請求の範囲】
【請求項１】
断熱効果及び弾力、反発性能の大きいシートの片面に太陽光反射膜を密着させると共に自動車のフロントガラスの大きさに合わせて裁断可能とした日除けシートと、該日除けシートと上記フロントガラスとの密着性を高めるための添え木とを設け、上記日除けシートを上記添え木によって押さえるようにしたことを特徴とする自動車の日除け装置。
【考案の詳細な説明】
【技術分野】
【０００１】  この考案は、自動車のフロントガラスから直射日光の進入を防止するための自動車の日除け装置に関するものである。
【背景技術】
【０００２】  従来の自動車の日除けシートは、各車種のフロントガラスの大きさに合わせていない為と、その取り付けは同ガラスに吸盤、粘着テープ等で数箇所に取り付けていたため同シートとフロントガラス面との密着性が悪く隙間が生じるため、日除けと断熱性能が著しく低下していた。
【先行技術文献】
【特許文献】
【０００３】
【特許文献１】実開平５−１２２１９
【考案の概要】
【考案が解決しようとする課題】
【０００４】  特許文献１のような日除けシートは、大雑把な矩形で各自動車のフロントガラスの形に一致しないために、同シートの周囲から直射日光が車内に進入し、また粘着テープでの取り付けでは湾曲した同ガラスとの間に隙間が生じて断熱性能が低下する問題があった。また粘着テープの使用痕が同ガラスに付着し、これらを除去する手間が生じるという問題があった。
【課題を解決するための手段】
【０００５】  この考案は断熱効果及び弾力、反発性能の大きいシートの片面に太陽光反射膜を蜜着させると共に、自動車のフロントガラスの大きさに合わせて裁断可能とし、同ガラスと日除けシートの密着性を高めるために、添え木で同シートを押さえる事により前述の問題点を解決している。
【考案の効果】
【０００６】  本考案の日除けシートは、自動車のフロントガラスの大きさに裁断可能である為に、同ガラスの全面を覆う事が可能で、且つ、同シートとフロントガラスを密着させるために、添え木を設けて最良の日除けと断熱の効果を得ている。また、同シートの取り付けには従来品の様に吸盤または粘着テープ等を使用していないため、同ガラスにその使用痕が残る事が無い。
【図面の簡単な説明】
【０００７】
【図１】本考案物の使用状態を示した平面図。
【図２】本考案物を収納して行く過程を示した斜視図。
【図３】本考案物を収納した状態を示した斜視図。
【図４】本考案物の断面図。
【図５】添え木の断面図。
【図６】本考案物の構造状態を示した斜視図。
【考案を実施するための形態】
【０００８】  以下、本考案を実施するための形態について説明する。
本考案の日除けシートＡを自動車のフロントガラスの大きさに裁断し、反射膜面側を同ガラスに合わせて設置後、フロントガラスとの間に隙間が生じ無い様に添え木で同シートＡの上から押さえてフロントガラスと密着させる。
【実施例】
【０００９】  以下、添付図面に従って実施例を説明する。図１において、１はシートＡを図３のように折り畳むための蛇腹折りの山折り線であって、所定間隔で複数本（図１では７本）設けられている。２は添え木で長さは当該シートＡの上下より数センチ長く、弾力及び反発性を有する竹又は木製及びプラスティックなどからなる。シートＡは、第４図のように例えば太陽光反射膜３および発泡ポリエチレン４の２層構造からなる。太陽光反射膜３は、アルミ箔又は他の金属箔等からなる。発泡ポリエチレン４はこれに限定しないが反発性、弾力性及び断熱性に優れた厚さ３ミリから１２ミリの化学製品が望ましい。【００１０】  図５は添え木２の断面図で、両端がフロントガラス枠のゴム製の水密シールド部に食い込み易いように薄く加工されている。【００１１】  日除けシートＡを使用する際には、当該シートＡの上下左右を確認後、太陽光反射膜側をフロントガラスに合わせて設置する。次に４本の添え木２の各々の先端がフロントガラス枠のゴム製の水密シールド部に食い込み、考案物である日除けシートＡを同ガラス側に押し付けて密着させている。
【符号の説明】
【００１２】１  山折り線
２  添え木
３  太陽光反射膜
４  発泡ポリエチレン
Ａ  日除けシート
【図１】
0003184667.tif 000003
【図２】
0003184667.tif 000004
【図３】
0003184667.tif 000005
【図４】
0003184667.tif 000006
【図５】
0003184667.tif 000007
【図６】
0003184667.tif 000008
(57)【要約】      （修正有） 【課題】目標感を持ち、読書意欲を継続できる電子書籍、スマートフォン、タブレットなどの電子機器を提供する。【解決手段】専用の電子書籍、 スマートフォン、タブレット（多機能携帯端末機）などの電子書籍機器などで、インターネットを経由して得られた電子書籍を液晶画面などで読む際、読書画面に、読みはじめからの累積ページ数３を表示するだけでなく、読書すべき残りのページ数４を表示する。【選択図】図１
0003184650.tif 000002
【実用新案登録請求の範囲】
【請求項１】
専用の電子書籍、あるいは、 スマートフォン、タブレット（多機能携帯端末機）などの電子書籍機器などで、インターネットを経由して得られた電子書籍を液晶画面などで読む際、読書画面に、読みはじめからの累積ページ数を表示するだけでなく、読書すべき残りのページ数を表示することを特徴とする。
【考案の詳細な説明】
【技術分野】
【０００１】
専用の電子書籍、あるいは、スマートフォン、タブレット（多機能携帯端末機）などインターネットを経由して取り込んだ書籍を読む電子書籍機器等に関する分野。
【背景技術】
【０００２】
従来の書籍の場合は、読み始めのページからの累積ページ数や、読むべき残りのページ数が、書籍の厚みや最後のページを簡単にめくることにより、容易に判るために、目標感を持ち、読書意欲を継続することができるために、途中で書籍を読むことを諦めることがなかった。
【０００３】
一方、専用の電子書籍、あるいは、スマートフォン、タブレット（多機能携帯端末機）などの電子書籍機器などで、インターネットを経由して取り込んだ電子書籍を読む際、書籍の液晶画面には、最初のページからの累積ページ数の表示はあるが、当該書籍の残りのページ数を示す表示、あるいは、現在読んでいるページが書籍全体のくらいのところを読んでいるかなどを示すページ数の表示が書籍画面には表示されてない。このため、特に、長編の電子書籍の場合、読書意欲が失せ、途中で当該書籍を読むことを諦めることが往々にしてあった。  
【考案の概要】
【考案が解決しようとする課題】
【０００４】
専用の電子書籍、あるいは、スマートフォン、タブレット（多機能携帯端末機）などの電子書籍機器などで、インターネットを経由して得られた電子書籍を液晶画面などで読む際に、現在、読んでいる画面で、読むべき残りのページ数が判らないことを解決するものである。
【課題を解決するための手段】
【０００５】
本発明は、専用の電子書籍、 あるいは、スマートフォンタブレット（多機能携帯端末機）などの電子書籍機器などで、インターネットを経由して得られた電子書籍を液晶画面などで読む際、読書画面に読みはじめからの累積ページ数を表示するだけでなく、読書すべき残りのページ数を表示することを特徴とするものである。  また、本発明では、電子書籍機器の読書画面に残りのページ数を直接表示すること以外に、通常、読書画面では残りのページ数を表示することなく、読者が残りのページ数を知りたい時に、電子書籍の読書画面に表示された特定のアイコンをクリックすることにより、残りのページ数がわかるようにすることでも良い。
【考案の効果】
【０００６】
専用の電子書籍、あるいは、スマートフォン、タブレット（多機能携帯端末機）などの電子書籍機器などで、インターネットを経由して得られた電子書籍を読む際、現在読んでいる電子書籍の液晶画面に、読み始めからの累積ページ数だけでなく、読むべき残りのページ数の表示があるために、目標感をもち、読書意欲を継続することができるために、途中で電子書籍を読むことを諦めることがない。
【図面の簡単な説明】
【０００７】
【図１】は、実施例１を示す図
【図２】は、実施例２を示す図
【考案を実施するための形態】
【０００８】
電子書籍のページ表示方法
【実施例１】
【０００９】
実施例１に基づき詳細に説明する。
電子書籍機器１で、インターネットを経由して得られた電子書籍を液晶画２で読む際、読みはじめからの累積ページ数３；記号M、即ち、現在読んでいるページ３；記号Mが液晶画面２に表示されている。  本実施例では、更に、当該の電子書籍の最後のページをZとすると、読み終えるための残りのページ数４；記号Nが現在、読んでいる電子書籍の液晶画２表示されている。
なお、書籍の最後のページをZとすると、読み終えるための残りのページ数NはN=Z-Mで計算される数である。
【００１０】
本発明により、読者は、残りのページが電子書籍の液晶画面に表示されているために、目標感を持ち、読書意欲を継続することができるために、途中で電子書籍を読むことを諦めることがない。
【００１１】
【実施例２】
【００１２】
実施例２に基づき詳細に説明する。
電子書籍機器１で、インターネットを経由して得られた電子書籍を液晶画面２で読む際、読みはじめからの累積ページ数３；記号M、即ち、現在読んでいるページ３；記号Mが、液晶画面２に表示されている。  
【００１３】
電子書籍を読むにあたり、残りの者が残りのページ数を知りたくなった際、アイコン５をクリック等することにより、ページ数が常に液晶画面に表示されるのを嫌う読者がいる。本実施例では、残りのページ数を現在読んでいる液晶画面２に常に表示することなく、読読み終えるための残りのページ数Nが表示される。
なお、書籍の最後のページをZとすると、読み終えるための残りのページ数NはN=Z-Mで計算される数である。
【００１４】
本発明では、読者は、必要に応じて、特定のアイコンをクリックするだけで残りのページ数が当該画面に表示されるために、目標感を持ち、読書意欲を継続することができるために、途中で電子書籍を読むことを諦めることがない。
【００１５】
【産業上の利用可能性】
【００１６】
専用の電子書籍、あるいは、スマートフォン、タブレット（多機能携帯端末機）などで、インターネットを経由して書籍、論文、新聞、雑誌などデジタル文章を記したものを取り込む電子書籍に適用可能である。
【符号の説明】
【００１７】
１；電子書籍
２；電子書籍の液晶画面
３：電子書籍の読みはじめからの累積ページ数
４；電子書籍を読み終えるための残りのページ数
５；電子書籍を読み終えるための残りのページを知るためのアイコン
【図１】
0003184650.tif 000003
【図２】
0003184650.tif 000004
【手続補正書】
【提出日】平成25年5月1日(2013.5.1)
【手続補正１】
【補正対象書類名】実用新案登録請求の範囲
【補正対象項目名】全文
【補正方法】変更
【補正の内容】
【実用新案登録請求の範囲】
【請求項１】
読書画面に、読みはじめからの累積ページ数を表示するだけでなく、読書す
べき残りのページ数を表示することを特徴とする電子機器。
(57)【要約】      （修正有）【課題】試験片の表面に溶液を噴霧し耐腐食性を調べる腐食促進試験において、噴霧された溶液を正確に採取することができる噴霧液採取容器を提供する。【解決手段】表面１１に微細凹凸構造を有し、表面張力を小さくして水滴の接地面積を減らすことで噴霧液採取容器７上に落下した噴霧液が表面１１に留まらず、直ちに噴霧量確認容器に到着することができるので、噴霧液採取容器７の表面１１で噴霧液が蒸発することなく、ごく少量の噴霧液でも正確に採取することができる。【選択図】図２
0003184004.tif 000002
【実用新案登録請求の範囲】
【請求項１】
漏斗状の腐食促進試験用噴霧液採取容器において、表面に微細凹凸構造を有することを特徴とする腐食促進試験用噴霧液採取容器。
【考案の詳細な説明】
【技術分野】
【０００１】
本考案は、試験片の表面に溶液を噴霧して試験片の耐腐食性を調べる腐食促進試験において、噴霧されて自由落下した溶液（以下、噴霧液という）を正確に採取することができる腐食促進試験用噴霧液採取容器に関する。
【背景技術】
【０００２】
溶液を噴霧して試験片の耐腐食性を調べる腐食促進試験機において、噴霧液の量と試験槽内の噴霧分布を確認するために噴霧液を採取する容器として漏斗を用いている。
【０００３】
非特許文献１において、噴霧された溶液を試験片に自由落下させて付着させる方法が規定されている。この方法において、噴霧室が規定の大きさの試験片で満たされた状態で腐食促進試験機を２４時間運転した後、噴霧液の採取量が水平採取面積各８０ｃｍ２に対して１時間当たり平均１．５±０．５ｍｌと、定められている。
【０００４】
特許文献１には、噴霧液採取容器によって噴霧液の採取量を測定できる腐食促進試験機について記述されている。具体的には、試験槽内に設置した噴霧液採取容器が、試験槽外に設けられた噴霧量確認容器に管によって接続され、噴霧液採取容器で採取した噴霧液を噴霧量確認容器内に溜める構造となっている。
【０００５】
【非特許文献１】ＪＩＳ  Ｚ  ２３７１
【特許文献１】特開２００３−４２９３７
【考案の開示】
【考案が解決しようとする課題】
【０００６】
従来の噴霧液採取容器は、表面に落下した噴霧液が表面張力により流れていかないことがあった。そのため、塩水噴霧、湿潤、乾燥等の試験条件を組み合せて行う複合サイクル試験では、塩水噴霧条件から他の試験条件に移行する際に、噴霧液採取容器の表面に付着した噴霧液が水滴状のまま空気に接して、水分が蒸発する可能性があり、蒸発によって噴霧液の採取量が変動し、特に噴霧量がごく少量の場合には、噴霧量の正確な確認が難しいことがあった。
【課題を解決するための手段】
【０００７】
上記課題を解決するために、本考案における腐食促進試験用噴霧液採取容器は、表面に微細凹凸構造を有することを特徴とする。
【考案の効果】
【０００８】
本考案の腐食促進試験用噴霧液採取容器は、表面に微細凹凸構造を有することで、水滴の接地面積を減らし、表面張力を小さくして、噴霧液採取容器上に落下した噴霧液が表面にとどまらず、直ちに噴霧量確認容器に到達することができる。このため、噴霧液採取容器の表面で噴霧液が蒸発することなく、ごく少量の噴霧液でも正確に採取できる。
【図面の簡単な説明】
【０００９】
【図１】本考案の腐食促進試験用噴霧液採取容器を用いた腐食促進試験機の全体構成図である。
【図２】本考案の腐食促進試験用噴霧液採取容器の図である。
【考案を実施するための形態】
【００１０】
以下図面に基づいてこの考案の実施例を詳細に説明する。
【実施例】
【００１１】
以下、本考案の実施例について、図面を参照して詳細に説明する。
【００１２】
図１は本考案の腐食促進試験用噴霧液採取容器を用いた腐食促進試験機の全体構成図である。図１の腐食促進試験機１は、試験槽２の中央に噴霧器３を格納した噴霧塔４を配置している。試験槽２内には、試験片保持器５に試験片６が載置され、試験片６と同等の位置で噴霧塔４から近い位置と遠い位置にそれぞれ1つずつ噴霧液採取容器７が設置されている。噴霧液採取容器７は、管８によって試験槽２外に設置した噴霧量確認容器９に接続している。
【００１３】
噴霧器３によって噴霧された溶液は、噴霧塔４の上部から試験槽２内に導入され、試験片６及び噴霧液採取容器７上に自由落下する。
噴霧液採取容器７上に落下した噴霧液は、管８を通じて試験槽２外に設置された噴霧量確認容器９に到達する。噴霧液の採取量の確認は、噴霧量確認容器９に設けられた目盛１０によって行うことができる。
噴霧液採取容器７を、噴霧塔４から近い位置と、遠い位置の２箇所に設置し、２箇所の噴霧液の採取量を比較することで噴霧の均一性を確認することができる。
【００１４】
図２は、本考案の腐食促進試験用噴霧液採取容器である。噴霧液採取容器７は、表面１１に微細凹凸構造を有する。
【００１５】
本実施例において、微細凹凸構造は、噴霧液採取容器７の表面１１をサンドペーパー等により傷を付ける切削加工法により形成したが、ブラスト加工法、エッチング加工法、プレス加工法等の加工法や複数の加工法の組み合わせにより形成することも可能である。
【００１６】
次に本考案の腐食促進試験用噴霧液採取容器の効果を説明する。
【００１７】
噴霧液採取容器７の表面１１に設けた微細凹凸構造により、噴霧液採取容器７の表面１１に自然落下した噴霧液の接地面積が減り表面張力が小さくなり、噴霧液が速やかに管８を通じて噴霧量確認容器９内に到達する。
したがって、噴霧液採取容器７内に落下した噴霧液が表面１１上で乾燥することなく噴霧量確認容器９内に到達するため正確な噴霧量を測定することができる。
【符号の説明】
【００１８】
１      腐食促進試験機
２      試験槽
３      噴霧器
４      噴霧塔
５      試験片保持器
６      試験片
７      噴霧液採取容器
８      管
９      噴霧量確認容器
１０  目盛
１１  表面
【図２】
0003184004.tif 000003
【図１】
0003184004.tif 000004